(57)【要約】【課題】粘着テープの端部を粘着面を中に折りたたんで、後ではがしやすい不接着部を作ること。【解決手段】テープを切断する直前、テープの端部と巻きテープのはがし位置との中間位置の２点で接着する部分を設け、テープ端の方が接着している切断機をはがし位置の方に移動させると、テープの接着している片方又は両方の回転機が少し回るのと一緒にテープの接着部も回り、テープは粘着面を内側にして曲がる。更に切断機をはがし位置の方に移動すると曲がりがきつくなって粘着面が近づく。夫れを摘むことで粘着テープの端部に非接着部を作る。【選択図】図１
2004083275.tif 000002
【特許請求の範囲】
【請求項１】
設置した巻き粘着テープを引き出して任意の長さで切断するカッター台１において、テープの引出しの前後方向に可動する切断器４を置き、テープ引出しのはがし位置７と切断位置との途中位置に粘着テープ２の粘着面３が圧着する中間接着部５を置き、その切断器４の接着部６と中間接着部５との片方または両方において、テープの引き出し方向に直角でテープ面に平行な回転軸をもった回転器としたこと、を特徴とする粘着テープの端部折り曲げ装置。
【請求項２】
請求項１において、巻き部から中間接着部５との間に粘着テープ２の押圧ガイド８を設けた事を特徴とする粘着テープの端部折り曲げ装置。
【請求項３】
請求項１の回転器を切断器４の移動と連動する機構で回転させた粘着テープの端部折り曲げ装置。
【請求項４】
請求項２の連動機構を、プーリーベルト・カムプーリー・押し回転式・引きバネバランスによって行なう粘着テープの端部折り曲げ装置。
【発明の詳細な説明】
【０００１】
【発明の属する技術分野】
本発明は、片面に粘着剤が着いたテープを貼り付け後に容易に剥がし易くする為粘着テープ端部を折り曲げて粘着面を張り合わせる事に関する。
【０００２】
【従来の技術】
従来に特開平０８−１１３４１５のように端部を折り曲げる出願はあるが、テープの巻き状からテープを引き離す時テープの粘着剤の反対側に生じる強い屈折癖で、粘着面側に折り曲げる事は非常に不安定であった。
【０００３】
【発明が解決しようとする課題】
粘着テープの端部を折り曲げて粘着部を張り合わせる場合今までは粘着面が外側になる曲がり癖があったが、その逆の粘着面が内側になる曲面を作るようにしなければならない。
【０００４】
【課題解決するための手段】
上記の目的を達するために、切断した後、テープの端を粘着した部分を、テープ途中を粘着した部分に近づけて丸みを形成させ、その際に、粘着部分が（片方または両方）回転して傾くことで、接着面を内側にする丸みを円滑に形成させるものである。
【０００５】
本発明は、粘着テープの圧接する部分をテープの端（切断器の位置）と途中に２ヶ所設け、片方または両方を回転軸をもって傾く回転器とし、切断器をテープの途中側に移動する時、この回転器がテープに沿って（または切断器の移動と連動して）回転・傾く事により、円滑に、回転器に粘着したテープが粘着面を内側にする曲面を作る。
【０００６】
【発明の実施の形態】
図１に粘着テープ切断機全体の側面を示す。粘着テープを圧接する接着部５，６を２つとも回転器としている。図では、切断器が指で押されてテープ端が丸くなった状態を表す。
【０００７】
図１のテープが丸くなっていく動作順として図４以降で説明する。
【０００８】
図２。切断器を引き出し途中側に移動させると粘着テープ自身にある剛性で、粘着テープに接着している接着部６（回転器６ａ）の外周を押すことになり接着部６（回転器６ａ）は回転するから切断器４側の粘着テープ端は粘着面が内側になるよう湾曲する。
【０００９】
図３。引き出し途中の接着部を回転器とした例。切断器が近づくとテープ剛性で回転器が回ってテープの丸みを誘導する。テープの巻き部に近い部分は図のように下に湾曲する癖があるため、その点でも図のような曲がりを誘導する。
【００１０】
図４。図２図３を組み合わせた図１の動作の始まり。
切断器の移動でテープを押し縮めると、テープの途中が大きく盛り上がる。
図５。更に切断器４を押すと湾曲が強くなり、指で摘んで粘着部を張り合わせると共に次に粘着テープ２の引き出しが容易になる形状になる。この後、図１０の形になる。
【００１１】
【実施例】
基本形は図１。実施する際に、図１に増設することもある補助機構の例を図６，７．８．９に示した。
図６。請求項２の押圧ガイドを設けた例。切断時点では点線の状態だったテープが、切断されて緩むとガイドの押圧で図のように微妙な曲がりを持つようになる。
【００１２】
図７。請求項３、４。切断器側の回転器を切断器の移動に連動させて回した例。回転器をプーリー兼用とするプーリーベルト方式としている。
ベルト１１の一部を中間接着部５（回転器５ａ）と、接着部６（回転器６ａ）に掛け、更に下方にあるバネ１２に掛けると、粘着テープ２を切断器４で引きながら切断した時は、ベルト１１全体が伸びているが切断器４をはがし位置側に移動するとベルト１１の上部が弛み、他の部に引っ張られるから、プーリーでもある回転器６ａ（接着部６）が回転し、粘着テープを上側に折り曲げるように働く。
【００１３】
図８。請求項３の例の２。
カムがバネで引き下げられて、プーリー兼用の中間接着部５（回転器５ａ）と接着部６（回転器６ａ）に圧接し、切断器４が矢印方向へ移動すると、カムによって両回転器が回り粘着テープを上側に折り曲げるように働く。
図９。請求項３の例の３。
カム１７の短い長穴１８に回転器６ａ（接着部６）に連結したプーリー２１を入れ、一部傾斜の長穴１９に設置台１に固定する支持器２０に入れ、切断器４をはがし位置側に移動すると支持器２０は長穴１９の傾斜部で止まっていて、短い長穴部が上から回転器６ａに接しているからプーリー２１が長穴１８内を移動する分だけ回転して、回転器６ａに接している粘着テープを上方に折り曲げるようにし、その後は回転器６ａの移動で支持器２０が長穴内を移動して粘着テープは図５のように更に折れ曲がる。
【００１４】
【発明の効果】
テープを使用しようと指でつまむ際に、摘むだけでテープ端を折りたたむことが失敗なしに行える。
【図面の簡単な説明】
【図１】基本的実施例。接着部５，６が回転体である。
【図２】接着部５だけが回転体のときの動き始めの図。
【図３】接着部６だけが回転体のときの動き始めの図。
【図４】接着部５，６ともが回転体のときの動き始めの図。
【図５】最終状態。
【図６】請求項２の押圧ガイドを設けた例。
【図７】請求項３、４。ベルト＋プーリー（回転式接着部兼用）を持ちいた例。
【図８】請求項３、４の例の２。カム＋プーリー（回転式接着部兼用）を用いた例。
【図９】請求項３、４の例の３。カムプーリーを用いた例。
【図１０】動作の最終形態の全体図。テープのつまみ出しの形。
【図１１】引き出されたテープ端の最終形態。
【符号の説明】
無番号矢印は動きの方向を示す
１カッター台
２粘着テープ
３粘着面
４切断器
５中間接着部
５ａ回転器
６接着部
６ａ回転器
７はがし位置
８ばね
９丸み部
１０押圧ガイド
１１ベルト
１２バネ
１３切断刃
１５カム
１６バネ
１７カム
１８短い長穴
１９一部傾斜の長穴
２０支持器
２１プーリー
２２非粘着面
２３折り曲げ部
【図１】
2004083275.tif 000003
【図２】
2004083275.tif 000004
【図３】
2004083275.tif 000005
【図４】
2004083275.tif 000006
【図５】
2004083275.tif 000007
【図６】
2004083275.tif 000008
【図７】
2004083275.tif 000009
【図８】
2004083275.tif 000010
【図９】
2004083275.tif 000011
【図１０】
2004083275.tif 000012
【図１１】
2004083275.tif 000013